(57)【要約】【課題】他の指令卓からの送信内容および移動機からの送信内容の傍受の可否を任意に選択することができる無線指令装置および無線指令送受信方法を提供する。【解決手段】指令卓１０1〜１０nはそれぞれ、スピーカー１２1〜１２nから出力する移動機からの音声の音量を調整するための移動機音声用音量調整回路１３1〜１３nと、ハンドセット１１1〜１１nおよびスピーカー１２1〜１２nから出力する他の指令卓からの音声の音量を調整するための指令卓音声用音量調整回路１４1〜１４nとを備える。集中監視制御装置２０は、移動機からの移動機音声信号を移動機音声用音量調整回路１３1〜１３nに送るための移動機音声用リンク手段３２1〜３２n，５１と、対応する指令卓１０1〜１０nのハンドセット１１1〜１１nからの指令卓音声信号を指令卓音声用音量調整回路１４1〜１４nに送るための指令卓音声用リンク手段３３1〜３３n，５２，６１1〜６１nとを備える。【選択図】  図１
2006254252.tif 000002
【特許請求の範囲】
【請求項１】
複数の指令卓（１０1〜１０n）と、集中監視制御装置（２０）とを具備する無線指令装置（１）であって、
前記複数の指令卓がそれぞれ、
ハンドセット（１１1〜１１n）と、
スピーカー（１２1〜１２n）と、
該スピーカーから出力する移動機からの音声の音量を調整するための移動機音声用音量調整回路（１３1〜１３n）と、
前記ハンドセットおよび前記スピーカーから出力する他の指令卓からの音声の音量を調整するための指令卓音声用音量調整回路（１４1〜１４n）とを備え、
前記集中監視制御装置が、
前記移動機からの移動機音声信号を前記複数の指令卓の前記移動機音声用音量調整回路に送るための移動機音声用リンク手段（３２1〜３２n，５１）と、
対応する前記指令卓の前記ハンドセットからの指令卓音声信号を前記複数の指令卓の前記指令卓音声用音量調整回路に送るための指令卓音声用リンク手段（３３1〜３３n，５２，６１1〜６１n）とを備える、
ことを特徴とする、無線指令装置。
【請求項２】
前記移動機音声用リンク手段が、
前記複数の指令卓の前記移動機音声用音量調整回路にそれぞれ接続された複数の移動機音声復号化回路（３２1〜３２n）と、
前記移動機音声信号を前記複数の移動機音声復号化回路に出力する移動機音声用リンク回路（５１）とを備え、
前記指令卓音声用リンク手段が、
前記複数の指令卓の前記指令卓音声用音量調整回路にそれぞれ接続された複数の指令卓音声復号化回路（３３1〜３３n）と、
前記指令卓音声信号を前記複数の指令卓音声復号化回路に出力する指令卓音声用リンク回路（５２）と、
前記指令卓音声信号を前記指令卓音声用リンク回路に出力する回込み回路（６１1〜６１n）とを備える、
ことを特徴とする、請求項１記載の無線指令装置。
【請求項３】
前記移動機音声用音量調整回路が、前記移動機音声復号化回路と前記スピーカーとの間に設けられており、
前記指令卓音声用音量調整回路が、前記指令卓音声復号化回路と前記移動機音声用音量調整回路および前記ハンドセットとの間に設けられている、
ことを特徴とする、請求項２記載の無線指令装置。
【請求項４】
複数の指令卓（１０1〜１０n）および集中監視制御装置（２０）を具備する無線指令装置と移動機との間で、移動機音声信号および指令卓音声信号を送受信するための無線指令送受信方法であって、
前記移動機からの前記移動機音声信号を、前記複数の指令卓に設けられたハンドセット（１１1〜１１n）に送るとともに、前記複数の指令卓に設けられた移動機音声用音量調整回路（１３1〜１３n）に送り、
前記移動機音声用音量調整回路によって音量が調整された前記移動機音声信号を、前記複数の指令卓に設けられたスピーカー（１２1〜１２n）から出力し、
前記複数の指令卓のうちの１つの指令卓のハンドセット（１１1〜１１n）から前記指令卓音声信号を出力し、
前記１つの指令卓の前記ハンドセットからの指令卓音声信号を、前記複数の指令卓に設けられた指令卓音声用音量調整回路（１４1〜１４n）に送り、
前記指令卓音声用音量調整回路によって音量が調整された前記指令卓音声信号を、前記複数の指令卓に設けられた前記ハンドセットおよび前記スピーカーから出力する、
ことを特徴とする、無線指令送受信方法。
【請求項５】
前記移動機音声用音量調整回路が、前記移動機音声復号化回路と前記スピーカーとの間に設けられており、
前記指令卓音声用音量調整回路が、前記指令卓音声復号化回路と前記移動機音声用音量調整回路および前記ハンドセットとの間に設けられている、
ことを特徴とする、請求項４記載の無線指令送受信方法。
【発明の詳細な説明】
【技術分野】
【０００１】
本発明は、無線指令装置および無線指令送受信方法に関し、特に、電力会社などで使用されている、移動機からの音声と各指令卓のハンドセットからの音声とを各指令卓で傍受することができる無線指令装置および無線指令送受信方法に関する。
【背景技術】
【０００２】
電力会社で行われている活線近接作業等は、電気の操作要求、作業開始、中間報告、作業完了、復旧操作要求および最終報告などを無線でやり取りして行われているが、このような活線近接作業等は、通常、平日で３０件程度行われている。また、同時に複数の活線近接作業等を行うため、無線通話が輻輳し、順番待ちになることがしばしばある。
さらに、電力会社においては、計画的な停電作業などによる無線通話、臨時に発生する電気事故対応や台風などによる災害復旧時などによる無線通話の他、顧客対応の営業に関する無線通話などがあり、昼休憩を除いては、常に無線を使用している状態にある。
【０００３】
このような無線通話は、社有車に搭載した無線機と移動機（携帯無線機）との間で行っているが、この無線機は、たとえば山上に設置された無線基地局を経由して、営業所などに設置された無線指令装置（無線指令台）と間で通話を行っている。このような無線指令装置では、たとえば、１つの営業所に９台の指令卓が設置されており、そのうちの６台の指令卓が同じフロアーに設置されている。
また、このような無線指令装置では、各指令卓のハンドセットからの送信内容が業務の必要から他の課などでも傍受できるように、ハンドセットからの音声信号を他の指令卓に送信するための回込み回路が設けられているため、ある課に設置された指令卓のハンドセットからの送信内容は、残りの８台の指令卓のスピーカーから音声で出力される。
さらに、このような無線指令装置では、移動機からの音声信号も、リンク回路を介してすべての指令卓に送られて、各指令卓のスピーカーから音声で出力される。
【０００４】
図２は、従来の無線指令装置の構成を示すブロック図である。この無線指令装置１００は、ｎ個の指令卓１１０1〜１１０nと、集中監視制御装置１２０と、ｎ個の送受信部１７０1〜１７０nとを具備する。
ここで、各指令卓１１０1〜１１０nには、ハンドセット１１１1〜１１１nと、スピーカー１１２1〜１１２nと、スピーカー１１２1〜１１２nから出力する音声の音量を調整するための音量調整回路１１３1〜１１３nとが設けられている。
【０００５】
集中監視制御装置１２０は、ｎ個の指令卓制御部１３０1〜１３０nと、時分割スイッチ（ＴＤＳＷ）１４０と、リンク回路１５０と、ｎ個の無線制御部１６０1〜１６０nとを備える。
各指令卓制御部１３０1〜１３０nは、対応する指令卓１１０1〜１１０nのハンドセット１１１1〜１１１nからのアナログ音声信号（以下、「アナログ指令卓音声信号」と称する。）をアナログ／デジタル変換したのちに符号化（たとえば、４００ＭＨｚ帯ＳＣＰＣ方式の信号に符号化）してデジタル音声信号（以下、「デジタル指令卓音声信号」と称する。）に変換する符号化回路１３１1〜１３１nと、リンク回路１５０から入力される移動機からのデジタル音声信号（以下、「デジタル移動機音声信号」と称する。）を復号化したのちにデジタル／アナログ変換してアナログ音声信号（以下、「アナログ移動機音声信号」と称する。）に変換する復号化回路１３２1〜１３２nとを備える。
【０００６】
時分割スイッチ１４０は、各指令卓制御部１３０1〜１３０nの符号化回路１３１1〜１３１nから入力されるデジタル指令卓音声信号の１つを選択して各無線制御部１６０1〜１６０nに出力する。
各無線制御部１６０1〜１６０nは、時分割スイッチ１４０から入力されるデジタル指令卓音声信号を各指令卓１１０1〜１１０nに送るための回込み回路１６１1〜１６１nと、このデジタル指令卓音声信号を搬送波信号で変調して送信信号に変換する変調回路１６２1〜１６２nと、基地局からの受信信号を復調してデジタル移動機音声信号に変換する復調回路１６３1〜１６３nとを備える。
【０００７】
リンク回路１５０は、各無線制御部１６０1〜１６０nから入力されるデジタル指令卓音声信号およびデジタル移動機音声信号を各指令卓制御部１３０1〜１３０nの復号化回路１３２1〜１３２nに出力する。
各指令卓制御部１３０1〜１３０nの復号化回路１３２1〜１３２nから出力されるアナログ指令卓音声信号およびアナログ移動機音声信号は、対応する指令卓１１０1〜１１０nのハンドセット１１１1〜１１１nに出力されるとともに、対応する指令卓１１０1〜１１０nの音量調整回路１１３1〜１１３nによって音量が調整されたのちスピーカー１１２1〜１１２nに出力される。これにより、各指令卓１１０1〜１１０nでは、他の指令卓１１０1〜１１０nからの送信内容と移動機からの送信内容とがハンドセット１１１1〜１１１nから音声で出力されるとともに、その音量を調整されながらスピーカー１１２1〜１１２nから音声で出力される。
【０００８】
なお、本願の無線指令装置および無線指令送受信方法の関連技術としては、以下に示すものがある。
下記の特許文献１には、デジタル信号送出器の構成を簡素化するとともに、局規模に左右されずに交換システムのすべての選択信号送出を行うことができるようにするために、多周波符号を構成する各ディジットの周波数信号を発生する２周波信号源をそれぞれ有する複数のデジタル信号送出器と、デジタル信号送出器からのＰＣＭデータの指定されたチャネルへの送出と接続するデジタル信号送出器の切替えを行うＴＤＳＷと、このＴＤＳＷを制御するＭＰＵとを備え、ＣＨ０にＤＧ０，ＤＧ１の数字列を送出するときは、ＭＰＵがＴＤＳＷを制御して、まずＣＨ０にデジタル信号送出器を接続してＤＧ０を構成するＰＢ信号のＰＣＭデータを送出し、次いでＭＰＵがＣＨ０をデジタル信号送出器に切替え接続してＤＧ１を構成するＰＢ信号のＰＣＭデータを送出するようにＴＤＳＷを制御する、局間信号送出方式が開示されている。
【０００９】
また、下記の特許文献２には、主制御装置の負荷を軽くすることができ、しかも副制御装置間にて大容量のデータ転送が可能となるようにするために、主制御装置がＴＤＳＷ制御部及びＴＤＳＷを介してＡ制御装置及びＢ制御装置に夫々異なる時間チャネルを設定し、Ａ制御装置に設定したチャネルＫとＢ制御装置に設定したチャネルＬとを接続することにより、Ａ制御装置とＢ制御装置とが時分割多重のＰＣＭ伝送路にて接続され、Ａ制御装置からＢ制御装置へ制御データを直接転送することが可能となり、また、時分割多重伝送であるため使用チャネル数の増減ができ、かつ大容量である、デジタル交換システムが開示されている。
【特許文献１】特開平７−２２２２１１号公報
【特許文献２】特開２０００−２２８２６号公報
【発明の開示】
【発明が解決しようとする課題】
【００１０】
このような無線指令装置においては、業務の運用面から、以下に示すことが要求されている。
（１）他の指令卓からの送信内容を傍受したい場合とそうでない場合とがある。
（２）移動機からの送信内容を傍受したい場合とそうでない場合とがある。
（３）移動機からの送信内容は傍受したいが、他の指令卓からの送信内容は傍受したくない場合がある。
（４）移動機からの送信内容は傍受したくないが、他の指令卓からの送信内容を傍受したい場合がある。
【００１１】
しかしながら、図２に示した無線指令装置１００では、デジタル指令卓音声信号とデジタル移動機音声信号とは同じリンク回路１５０を経由しているため、また、各指令卓１１０1〜１１０nには、スピーカー１１２1〜１１２nから出力される音声の音量を調整するための音量調整回路１１３1〜１１３nしか設けられていないため、音量調整回路１１３1〜１１３nにより上記（１）および（２）については可能であるが、上記（３）および（４）については不可能である。
このため、他の指令台からの送信内容および移動機からの送信内容を聞き漏らすことを避けるために、音量調整回路１１３1〜１１３nを使用しない状態で運用せざるを得ず、各指令卓１１０1〜１１０nが設置されたフロアーにいる社員は、各スピーカー１１２1〜１１２nから出力される音声を終日聞きながら他の業務を行わざるを得ないという問題があった。
【００１２】
本発明の目的は、他の指令卓からの送信内容および移動機からの送信内容の傍受の可否を任意に選択することができる無線指令装置および無線指令送受信方法を提供することにある。
【課題を解決するための手段】
【００１３】
本発明の無線指令装置は、複数の指令卓（１０1〜１０n）と、集中監視制御装置（２０）とを具備する無線指令装置（１）であって、前記複数の指令卓がそれぞれ、ハンドセット（１１1〜１１n）と、スピーカー（１２1〜１２n）と、該スピーカーから出力する移動機からの音声の音量を調整するための移動機音声用音量調整回路（１３1〜１３n）と、前記ハンドセットおよび前記スピーカーから出力する他の指令卓からの音声の音量を調整するための指令卓音声用音量調整回路（１４1〜１４n）とを備え、前記集中監視制御装置が、前記移動機からの移動機音声信号を前記複数の指令卓の前記移動機音声用音量調整回路に送るための移動機音声用リンク手段（３２1〜３２n，５１）と、対応する前記指令卓の前記ハンドセットからの指令卓音声信号を前記複数の指令卓の前記指令卓音声用音量調整回路に送るための指令卓音声用リンク手段（３３1〜３３n，５２，６１1〜６１n）とを備えることを特徴とする。
ここで、前記移動機音声用リンク手段が、前記複数の指令卓の前記移動機音声用音量調整回路にそれぞれ接続された複数の移動機音声復号化回路（３２1〜３２n）と、前記移動機音声信号を前記複数の移動機音声復号化回路に出力する移動機音声用リンク回路（５１）とを備え、前記指令卓音声用リンク手段が、前記複数の指令卓の前記指令卓音声用音量調整回路にそれぞれ接続された複数の指令卓音声復号化回路（３３1〜３３n）と、前記指令卓音声信号を前記複数の指令卓音声復号化回路に出力する指令卓音声用リンク回路（５２）と、前記指令卓音声信号を前記指令卓音声用リンク回路に出力する回込み回路（６１1〜６１n）とを備えてもよい。
また、前記移動機音声用音量調整回路が、前記移動機音声復号化回路と前記スピーカーとの間に設けられており、前記指令卓音声用音量調整回路が、前記指令卓音声復号化回路と前記移動機音声用音量調整回路および前記ハンドセットとの間に設けられていてもよい。
【００１４】
本発明の無線指令送受信方法は、複数の指令卓（１０1〜１０n）および集中監視制御装置（２０）を具備する無線指令装置と移動機との間で、移動機音声信号および指令卓音声信号を送受信するための無線指令送受信方法であって、前記移動機からの前記移動機音声信号を、前記複数の指令卓に設けられたハンドセット（１１1〜１１n）に送るとともに、前記複数の指令卓に設けられた移動機音声用音量調整回路（１３1〜１３n）に送り、前記移動機音声用音量調整回路によって音量が調整された前記移動機音声信号を、前記複数の指令卓に設けられたスピーカー（１２1〜１２n）から出力し、前記複数の指令卓のうちの１つの指令卓のハンドセット（１１1〜１１n）から前記指令卓音声信号を出力し、前記１つの指令卓の前記ハンドセットからの指令卓音声信号を、前記複数の指令卓に設けられた指令卓音声用音量調整回路（１４1〜１４n）に送り、前記指令卓音声用音量調整回路によって音量が調整された前記指令卓音声信号を、前記複数の指令卓に設けられた前記ハンドセットおよび前記スピーカーから出力することを特徴とする。
ここで、前記移動機音声用音量調整回路が、前記移動機音声復号化回路と前記スピーカーとの間に設けられており、前記指令卓音声用音量調整回路が、前記指令卓音声復号化回路と前記移動機音声用音量調整回路および前記ハンドセットとの間に設けられていてもよい。
【発明の効果】
【００１５】
本発明の無線指令装置および無線指令送受信方法は、業務の運用面から要求されている以下の項目をすべて満たすことができるという効果を奏する。
（１）他の指令卓からの送信内容を傍受したい場合とそうでない場合とがある。
（２）移動機からの送信内容を傍受したい場合とそうでない場合とがある。
（３）移動機からの送信内容は傍受したいが、他の指令卓からの送信内容は傍受したくない場合がある。
（４）移動機からの送信内容は傍受したくないが、他の指令卓からの送信内容を傍受したい場合がある。
【発明を実施するための最良の形態】
【００１６】
他の指令台からの送信内容および移動機からの送信内容の傍受の可否を任意に選択するという目的を、移動機からの移動機音声信号と指令卓のハンドセットからの指令卓音声信号とを別々のリンク回路から別々の音量調整回路に送ることにより実現した。
【実施例１】
【００１７】
以下、本発明の無線指令装置および無線指令送受信方法の実施例について図面を参照して説明する。
本発明の一実施例による無線指令装置１は、図１に示すように、ｎ個の指令卓１０1〜１０nと、集中監視制御装置２０と、ｎ個の送受信部７０1〜７０nとを具備する。
ここで、各指令卓１０1〜１０nには、ハンドセット１１1〜１１nと、スピーカー１２1〜１２nと、スピーカー１２1〜１２nから出力する移動機からの音声の音量を調整するための移動機音声用音量調整回路１３1〜１３nと、ハンドセット１１1〜１１nおよびスピーカー１２1〜１２nから出力する他の指令卓からの音声の音量を調整するための指令卓音声用音量調整回路１４1〜１４nとが設けられている。
【００１８】
集中監視制御装置２０は、ｎ個の指令卓制御部３０1〜３０nと、時分割スイッチ（ＴＤＳＷ）４０と、移動機音声用リンク回路５１と、指令卓音声用リンク回路５２と、ｎ個の無線制御部６０1〜６０nとを備える。
各指令卓制御部３０1〜３０nは、対応する指令卓１０1〜１０nのハンドセット１１1〜１１nからのアナログ指令卓音声信号をアナログ／デジタル変換したのちに符号化（たとえば、４００ＭＨｚ帯ＳＣＰＣ方式の信号に符号化）してデジタル指令卓音声信号に変換する符号化回路３１1〜３１nと、移動機音声用リンク回路５１から入力されるデジタル移動機音声信号を復号化したのちにデジタル／アナログ変換してアナログ移動機音声信号に変換する移動機音声復号化回路３２1〜３２nと、指令卓音声用リンク回路５２から入力されるデジタル指令卓音声信号を復号化したのちにデジタル／アナログ変換してアナログ指令卓音声信号に変換する指令卓音声復号化回路３３1〜３３nとを備える。
【００１９】
時分割スイッチ４０は、各指令卓制御部３０1〜３０nの符号化回路３１1〜３１nから入力されるデジタル指令卓音声信号の１つを選択して各無線制御部６０1〜６０nに出力する。
各無線制御部６０1〜６０nは、時分割スイッチ４０から入力されるデジタル指令卓音声信号を各指令卓１０1〜１０nに送るための回込み回路６１1〜６１nと、このデジタル指令卓音声信号を搬送波信号で変調して送信信号に変換する変調回路６２1〜６２nと、送受信部７０1〜７０nとそれぞれ無線または有線により接続された基地局からの受信信号を復調してデジタル移動機音声信号に変換する復調回路６３1〜６３nとを備える。
各送受信部７０1〜７０nは、対応する無線制御部６０1〜６０nの変調回路６２1〜６２nから入力される送信信号を、接続された基地局を介して移動機に送信するとともに、接続された基地局を介して移動機から送信されてくる受信信号を受信して、対応する無線制御部６０1〜６０nの復調回路６３1〜６３nに出力する。
【００２０】
移動機音声用リンク回路５１は、各無線制御部６０1〜６０nから入力されるデジタル移動機音声信号を各指令卓制御部３０1〜３０nの移動機音声復号化回路３２1〜３２nに出力する。
指令卓音声用リンク回路５２は、各無線制御部６０1〜６０nから入力されるデジタル指令卓音声信号を各指令卓制御部３０1〜３０nの指令卓音声復号化回路３３1〜３３nに出力する。
【００２１】
各指令卓制御部３０1〜３０nの移動機音声復号化回路３２1〜３２nから出力されるアナログ移動機音声信号は、対応する指令卓１０1〜１０nのハンドセット１１1〜１１nに出力されるとともに、対応する指令卓１０1〜１０nの移動機音声用音量調整回路１３1〜１３nによって音量が調整されたのちにスピーカー１２1〜１２nに出力される。
また、各指令卓制御部３０1〜３０nの指令卓音声復号化回路３３1〜３３nから出力されるアナログ指令卓音声信号は、対応する指令卓１０1〜１０nの指令卓音声用音量調整回路１４1〜１４nによって音量が調整されたのちに、対応する指令卓１０1〜１０nのハンドセット１１1〜１１nに出力されるとともに、対応する指令卓１０1〜１０nの移動機音声用音量調整回路１３1〜１３nによっても音量が調整されたのちにスピーカー１２1〜１２nに出力される。
【００２２】
これにより、各指令卓１０1〜１０nでは、他の指令卓１０1〜１０nからの送信内容と移動機からの送信内容とが、音量をそれぞれ調整されながらハンドセット１１1〜１１nおよびスピーカー１２1〜１２nから音声で出力される。
【００２３】
次に、本実施例による無線指令装置１の動作（本発明の一実施例による無線指令送受信方法）について説明する。
まず、図１図示最上段の指令卓１０1のハンドセット１１1から指令を音声で送信する場合の無線指令装置１の動作について説明する。
担当者が指令卓１０1のハンドセット１１1から指令を音声で発すると、ハンドセット１１1から出力されるアナログ指令卓音声信号は、指令卓制御部３０1の符号化回路３１1によってアナログ／デジタル変換されたのちに符号化されることにより、デジタル指令卓音声信号に変換される。このデジタル指令卓音声信号は、時分割スイッチ４０によって選択されて、たとえば無線制御部６０1に出力される。
【００２４】
無線制御部６０1に入力されたデジタル指令卓音声信号は、変調回路６２1によって搬送波信号で変調され送信信号に変換されたのちに送受信部７０1に出力されることにより、送受信部７０1と接続された基地局を介して移動機に送信される。
【００２５】
また、無線制御部６０1に入力されたデジタル指令卓音声信号は、回込み回路６１1によって指令卓音声用リンク回路５２に出力されたのち、各指令卓制御部３０1〜３０nの指令卓音声復号化回路３３1〜３３nに出力されることにより、アナログ指令卓音声信号に変換される。各アナログ指令卓音声信号は、対応する指令卓１０1〜１０nの指令卓音声用音量調整回路１４1〜１４nによって音量がそれぞれ調整されたのちに、対応する指令卓１０1〜１０nのハンドセット１１1〜１１nにそれぞれ出力されるとともに、対応する指令卓１０1〜１０nの移動機音声用音量調整回路１３1〜１３nによっても音量が調整されたのちにスピーカー１２1〜１２nにそれぞれ出力される。
【００２６】
これにより、たとえば、図１図示最下段の指令卓１０nの担当者は、他の指令卓１０1〜１０n-1からの送信内容を傍受したくない場合や、移動機からの送信内容は傍受したいが、指令卓１０1からの送信内容は傍受したくない場合には、指令卓１０nの指令卓音声用音量調整回路１４nによってアナログ指令卓音声信号の振幅を最大限小さくすることにより、指令卓１０1からの送信内容を示す音声がハンドセット１１nおよびスピーカー１２nから出力されなくすることができる。
【００２７】
次に、図１図示最上段の送受信部７０1で受信した移動機からの受信信号を各指令卓１０1〜１０nに送る場合の無線指令装置１の動作について説明する。
送受信部７０1で受信された移動機からの受信信号は、無線制御部６２1の復調回路６３1によって復調されてデジタル移動機音声信号に変換されたのち、移動機音声用リンク回路５１に出力される。
【００２８】
デジタル移動機音声信号は、移動機音声用リンク回路５１によって各指令卓制御部３０1〜３０nの移動機音声復号化回路３２1〜３２nに出力されることにより、アナログ移動機音声信号に変換される。各アナログ移動機音声信号は、対応する指令卓１０1〜１０nのハンドセット１１1〜１１nにそれぞれ出力されるとともに、対応する指令卓１０1〜１０nの移動機音声用音量調整回路１３1〜１３nによって音量がそれぞれ調整されたのちにスピーカー１２1〜１２nにそれぞれ出力される。
【００２９】
これにより、たとえば、図１図示最下段の指令卓１０nの担当者は、移動機からの送信内容を傍受したくない場合や、移動機からの送信内容は傍受したくないが、他の指令卓１０1〜１０n-1からの送信内容を傍受したい場合には、指令卓１０nの移動機音声用音量調整回路１３nによってアナログ移動機音声信号の振幅を最大限小さくすることにより、移動機からの送信内容を示す音声がスピーカー１２nから出力されなくすることができる。
【産業上の利用可能性】
【００３０】
以上説明したように、本発明の無線指令装置および無線指令送受信方法は、移動機からの音声と各指令卓のハンドセットからの音声とを各指令卓で傍受することができる無線指令装置として利用することができる。
【図面の簡単な説明】
【００３１】
【図１】本発明の一実施例による無線指令装置の構成を示すブロック図である。（実施例１）
【図２】従来の無線指令装置の構成を示すブロック図である。
【符号の説明】
【００３２】
１  無線指令装置
１０1〜１０n  指令卓
１１1〜１１n  ハンドセット
１２1〜１２n  スピーカー
１３1〜１３n  移動機音声用音量調整回路
１４1〜１４n  指令卓音声用音量調整回路
２０  集中監視制御装置
３０1〜３０n  指令卓制御部
３１1〜３１n  符号化回路
３２1〜３２n  移動機音声復号化回路
３３1〜３３n  指令卓音声復号化回路
４０  時分割スイッチ（ＴＤＳＷ）
５１  移動機音声用リンク回路
５２  指令卓音声用リンク回路
６０1〜６０n  無線制御部
６１1〜６１n  回込み回路
６２1〜６２n  変調回路
６３1〜６３n  復調回路
７０1〜７０n  送受信部
【図１】
2006254252.tif 000003
【図２】
2006254252.tif 000004